(57)【要約】【課題】  シャドーフリッカの範囲にある建屋にシャドーフリッカの影響が生じた場合であっても、風力発電装置の稼働率が低下しないこと。【解決手段】  本発明のウィンドファームの制御装置は、上記課題を解決するために、複数の風力発電装置から成るウィンドファームを制御する制御装置であって、前記各風力発電装置に対して第１の通信手段を介して稼働・停止の指令を送信する制御装置と、前記各風力発電装置のロータが作る影の明滅（シャドーフリッカ）の範囲にある建物に配置されるか或いは前記建物の居住者又は利用者が持ち、前記シャドーフリッカの影響により建物の居住者又は利用者が不快か否かを判断する不快感判断手段とを備え、前記不快感判断手段の判断情報が前記制御装置に送信され、前記制御装置では、前記不快感判断手段の判断情報に基づいて前記風力発電装置の運転継続又は停止を行うことを特徴とする。【選択図】図１
2019157633.tif 000002
【特許請求の範囲】
【請求項１】
複数の風力発電装置から成るウィンドファームを制御する制御装置であって、
前記各風力発電装置に対して第１の通信手段を介して稼働・停止の指令を送信する制御装置と、前記各風力発電装置のロータが作る影の明滅（シャドーフリッカ）の範囲にある建物に配置されるか或いは前記建物の居住者又は利用者が持ち、前記シャドーフリッカの影響により建物の居住者又は利用者が不快か否かを判断する不快感判断手段とを備え、
前記不快感判断手段の判断情報が前記制御装置に送信され、前記制御装置では、前記不快感判断手段の判断情報に基づいて前記風力発電装置の運転継続又は停止を行うことを特徴とするウィンドファームの制御装置。
【請求項２】
請求項１に記載のウィンドファームの制御装置であって、
前記不快感判断手段は、前記建物に設置され、少なくとも前記建物の電力の使用状況を計測するスマートメーターから成り、前記スマートメーターで計測した前記建物における電力の使用状況を前記第１の通信手段を介して前記制御装置に送信することを特徴とするウィンドファームの制御装置。
【請求項３】
請求項２に記載のウィンドファームの制御装置であって、
前記制御装置は、周辺電力使用状況受信部、有人無人状況演算部、シャドーフリッカ影響範囲演算部及び指令値決定部を備え、
前記周辺電力使用状況受信部では、前記ウィンドファームの周辺の前記建物に設置された前記スマートメーターからの前記各建物における電力使用状況の計測値を受信し、前記有人無人状況演算部では、前記電力使用状況の計測値から前記建物が有人か無人かを演算し、前記シャドーフリッカ影響範囲演算部では、気象情報を入手すると共に、データベースから前記風力発電装置の情報、太陽高度、前記ウィンドファームの周辺の地形情報を用いて、前記各風力発電装置の発生する前記シャドーフリッカが及ぼす影響の範囲を演算し、前記指令値決定部では、前記有人無人状況演算部からの有人か無人かの情報と、前記シャドーフリッカが及ぼす影響の範囲の情報を用いて、前記各風力発電装置が前記シャドーフリッカの影響を及ぼす前記建物が有人と演算された場合には、前記シャドーフリッカを発生させる風力発電装置を停止させ、無人と演算された場合には、前記シャドーフリッカにより不快感を覚える人が存在しないものとして、風力発電装置を稼動状態のまま維持することを特徴とするウィンドファームの制御装置。
【請求項４】
請求項３に記載のウィンドファームの制御装置であって、
前記電力使用状況の計測値は、前記電力使用状況の時間変化の計測値であり、かつ、前記建物が有人か無人かは、前記電力使用状況が少ない状態で変位しているか、或いは極端に電力使用量が少ないときに無人、それ以外を有人と演算していることを特徴とするウィンドファームの制御装置。
【請求項５】
請求項３に記載のウィンドファームの制御装置であって、
前記シャドーフリッカ影響範囲演算部は、日付及び／又は日射の気象情報を、内蔵しているカレンダー及び／又はインターネット経由で入手すると共に、前記データベースから前記風力発電装置の配置及び／又は高さ、前記風力発電装置のロータの直径の情報、緯度経度と時刻から求めた太陽高度、前記ウィンドファームの周辺の地形情報を用いて、前記各風力発電装置の発生する前記シャドーフリッカが及ぼす影響の範囲を演算することを特徴とするウィンドファームの制御装置。
【請求項６】
請求項５に記載のウィンドファームの制御装置であって、
前記シャドーフリッカが前記建物に影響を及ぼす時間帯を、予め太陽高度を用いて求めておき、当該時間帯には前記風力発電装置を停止させることを特徴とするウィンドファームの制御装置。
【請求項７】
請求項６に記載のウィンドファームの制御装置であって、
前記風力発電装置が発生させる前記シャドーフリッカが前記建物に影響を及ぼす時間帯に、前記有人無人状況演算部で演算した有人判定スコアを用い、この有人判定スコアが予め決められた判定基準を下回り、前記建物が無人と判定された場合には、前記シャドーフリッカの影響時間帯であっても、前記風力発電装置を稼動状態とすることを特徴とするウィンドファームの制御装置。
【請求項８】
請求項１に記載のウィンドファームの制御装置であって、
前記不快感判断手段は、前記建物に設置され、前記シャドーフリッカの影響による対策が要か否かの際に切り替えるシャドーフリッカ対策要否スイッチから成り、前記シャドーフリッカ対策要否スイッチで切り替えた前記シャドーフリッカの影響による対策が要か否か又は外出の予定を、前記第１の通信手段を介して前記制御装置に送信することを特徴とするウィンドファームの制御装置。
【請求項９】
請求項８に記載のウィンドファームの制御装置であって、
前記建物に居住或いは利用する人は、前記シャドーフリッカの影響による対策が要か否か又は外出の予定の情報に基づいて前記シャドーフリッカ対策要否スイッチを切り替え、前記シャドーフリッカ対策要否スイッチが対策要とされた場合には、前記建物に前記シャドーフリッカが影響する時間帯は、該当する前記シャドーフリッカを発生する風力発電装置を停止し、前記シャドーフリッカ対策要否スイッチが対策不要とされた場合には、当該時間帯に風力発電装置の稼動を継続することを特徴とするウィンドファームの制御装置。
【請求項１０】
請求項１に記載のウィンドファームの制御装置であって、
前記不快感判断手段は、前記建物に居住或いは利用する人が持つ携帯情報端末から成り、前記携帯情報端末は、第２の通信手段を介して基地局に前記携帯情報端末の利用者の位置情報及び／又は前記シャドーフリッカの影響による対策要否情報を送信し、前記基地局は、前記携帯情報端末の利用者の位置情報及び／又は前記シャドーフリッカの影響による対策要否情報を前記第１の通信手段を介して前記制御装置に送信することを特徴とするウィンドファームの制御装置。
【請求項１１】
請求項１０に記載のウィンドファームの制御装置であって、
前記制御装置は、前記携帯情報端末の利用者の位置が前記風力発電装置の前記シャドーフリッカの影響を受ける範囲であり、かつ、前記シャドーフリッカの影響による対策要否情報が「要」となっている場合には前記シャドーフリッカの影響のある風力発電装置を停止し、前記携帯情報端末の利用者の位置が前記シャドーフリッカの影響を受ける範囲外にあるか、又は前記シャドーフリッカの影響による対策要否情報が「否」となっている場合には前記風力発電装置は稼動を継続することを特徴とするウィンドファームの制御装置。
【請求項１２】
複数の風力発電装置から成るウィンドファームを制御する制御装置であって、
前記各風力発電装置に対して第１の通信手段を介して稼働・停止の指令を送信する制御装置と、前記各風力発電装置のロータが作る影の明滅（シャドーフリッカ）の範囲にある農地及び/又は太陽光発電所に、前記シャドーフリッカの影響による前記農地における作物の生育に悪影響の出る期間情報及び/又は前記太陽光発電所の発電電力の大きい時間帯情報が入力されるシャドーフリッカ対策要否入力端末とを備え、
前記シャドーフリッカ対策要否入力端末に入力された情報が前記制御装置に送信され、前記制御装置では、前記シャドーフリッカが影響を及ぼす前記農地における作物の生育に悪影響の出る期間情報及び/又は前記太陽光発電所の発電電力の大きい時間帯情報に基づいて、風力発電装置の運転継続又は停止を行うことを特徴とするウィンドファームの制御装置。
【請求項１３】
複数の風力発電装置に対して第１の通信手段を介して稼働・停止の指令を送信する制御装置と、前記複数の風力発電装置のロータが作る影の明滅（シャドーフリッカ）の範囲にある建物に配置され、前記シャドーフリッカの影響により建物の居住者又は利用者が不快か否かを判断する不快感判断手段とを用いて、前記複数の風力発電装置から成るウィンドファームを制御する制御方法であって、
前記不快感判断手段の判断情報が前記制御装置に送信され、前記制御装置では、前記不快感判断手段の判断情報に基づいて前記風力発電装置の運転継続又は停止を行うことを特徴とするウィンドファームの制御方法。
【請求項１４】
請求項１３に記載のウィンドファームの制御方法であって、
前記建物に設置され、少なくとも前記建物の電力の使用状況を前記不快感判断手段であるスマートメーターで計測した前記建物における電力の使用状況を、前記第１の通信手段を介して前記制御装置に送信することを特徴とするウィンドファームの制御方法。
【請求項１５】
請求項１４に記載のウィンドファームの制御方法であって、
前記制御装置は、周辺電力使用状況受信部、有人無人状況演算部、シャドーフリッカ影響範囲演算部及び指令値決定部を備え、
前記ウィンドファームの周辺の前記建物に設置された前記スマートメーターからの前記各建物における電力使用状況の計測値を前記周辺電力使用状況受信部で受信し、前記電力使用状況の計測値から前記建物が有人か無人かを前記有人無人状況演算部で演算し、気象情報を入手すると共に、データベースから前記風力発電装置の情報、太陽高度、前記ウィンドファームの周辺の地形情報を用いて、前記各風力発電装置の発生する前記シャドーフリッカが及ぼす影響の範囲を前記シャドーフリッカ影響範囲演算部で演算し、前記有人無人状況演算部からの有人か無人かの情報と、前記シャドーフリッカが及ぼす影響の範囲の情報を用いて、前記各風力発電装置が前記シャドーフリッカの影響を及ぼす前記建物が有人と演算された場合には、前記シャドーフリッカを発生させる風力発電装置を停止させ、無人と演算された場合には、前記シャドーフリッカにより不快感を覚える人が存在しないものとして、風力発電装置を稼動状態のまま維持する指令を前記指令値決定部で発信することを特徴とするウィンドファームの制御方法。
【発明の詳細な説明】
【技術分野】
【０００１】
本発明はウィンドファームの制御装置及びその制御方法に係り、特に、風力発電装置のロータが作る影の明滅（シャドーフリッカ）が生じるものに好適なウィンドファームの制御装置及びその制御方法に関するものである。
【背景技術】
【０００２】
石油など化石燃料の枯渇が懸念されるようになって久しく、また、地球環境の温暖化対策のために、ＣＯ２の排出削減が全世界で解決すべき急務の課題となっている。
【０００３】
これらの課題の解決を図るために、化石燃料を使用せず、また、ＣＯ２も排出しない発電の方法として、太陽光発電や風力発電など自然エネルギーを用いた発電の導入が世界中で急速に進行している。
【０００４】
これに伴って、複数の風力発電装置から成るウィンドファームが人家や建物、農耕地の近くに建設される場合、或いは既設のウィンドファームの周辺が開発されて人家や建物が建設され、結果的にウィンドファームと人家や建物が近くなるケースが増加している。
【０００５】
また、風力発電装置の効率化のために、個々の風力発電装置の発電容量が増大し、風力発電装置が大型化する流れとなっている。この大型の風力発電装置は、回転するロータの作る影が遠方まで届き、ロータの回転に伴って影が明滅するシャドーフリッカと呼ばれる現象を引き起こす。このシャドーフリッカは、１秒前後の短周期の光の明滅であり、風力発電装置の影響範囲にいる人が不快感を覚えることがある。
【０００６】
このシャドーフリッカの影響を回避する先行技術文献としては、特許文献１を挙げることができる。
【０００７】
この特許文献１には、風力発電装置に設置した筒状容器内部の太陽光パネルの発電電力を計測器で測定し、太陽光パネルからの発電電力が一定以上となった場合には、人家を含む領域にシャドーフリッカの影響が生じると予想し、ブレードの回転を停止して風力発電装置の運転を停止することが記載されている。
【先行技術文献】
【特許文献】
【０００８】
【特許文献１】特開２００４−３６０５０８号公報
【発明の概要】
【発明が解決しようとする課題】
【０００９】
しかしながら、特許文献１に記載されている手法では、太陽光パネルからの発電電力が一定以上となった場合に人家を含む領域にシャドーフリッカの影響が生じると予想し、風力発電装置を停止するものであり、太陽光パネルからの発電電力が一定以上であれば、シャドーフリッカによる不快感を覚える人がいない場合であっても、風力発電装置を停止することになるため、風力発電装置の稼働率が低下するという問題があった。
【００１０】
本発明は上述の点に鑑みなされたもので、その第１の目的とするところは、シャドーフリッカの範囲にある建物にシャドーフリッカの影響が生じた場合であっても、風力発電装置の稼働率が低下しないウィンドファームの制御装置及びその制御方法を提供することにある。
【００１１】
また、本発明の第２の目的とするところは、シャドーフリッカの範囲にある農地や太陽光発電所にシャドーフリッカの影響が生じた場合であっても、農地における作物の生育や太陽光発電所の発電電力に悪影響を及ぼすことのないウィンドファームの制御装置を提供することにある。
【課題を解決するための手段】
【００１２】
本発明のウィンドファームの制御装置は、上記第１の目的を達成するために、複数の風力発電装置から成るウィンドファームを制御する制御装置であって、前記各風力発電装置に対して第１の通信手段を介して稼働・停止の指令を送信する制御装置と、前記各風力発電装置のロータが作る影の明滅（シャドーフリッカ）の範囲にある建物に配置されるか或いは前記建物の居住者又は利用者が持ち、前記シャドーフリッカの影響により建物の居住者又は利用者が不快か否かを判断する不快感判断手段とを備え、前記不快感判断手段の判断情報が前記制御装置に送信され、前記制御装置では、前記不快感判断手段の判断情報に基づいて前記風力発電装置の運転継続又は停止を行うことを特徴とする。
【００１３】
また、本発明のウィンドファームの制御方法は、上記第１の目的を達成するために、複数の風力発電装置に対して第１の通信手段を介して稼働・停止の指令を送信する制御装置と、前記複数の風力発電装置のロータが作る影の明滅（シャドーフリッカ）の範囲にある建物に配置され、前記シャドーフリッカの影響により建物の居住者又は利用者が不快か否かを判断する不快感判断手段とを用いて、前記複数の風力発電装置から成るウィンドファームを制御する制御方法であって、前記不快感判断手段の判断情報が前記制御装置に送信され、前記制御装置では、前記不快感判断手段の判断情報に基づいて前記風力発電装置の運転継続又は停止を行うことを特徴とする。
【００１４】
更に、本発明のウィンドファームの制御装置は、上記第２の目的を達成するために、複数の風力発電装置から成るウィンドファームを制御する制御装置であって、前記各風力発電装置に対して第１の通信手段を介して稼働・停止の指令を送信する制御装置と、前記各風力発電装置のロータが作る影の明滅（シャドーフリッカ）の範囲にある農地及び/又は太陽光発電所に、前記シャドーフリッカの影響による前記農地における作物の生育に悪影響の出る期間情報及び/又は前記太陽光発電所の発電電力の大きい時間帯情報が入力されるシャドーフリッカ対策要否入力端末とを備え、前記シャドーフリッカ対策要否入力端末に入力された情報が前記制御装置に送信され、前記制御装置は、前記シャドーフリッカが影響を及ぼす前記農地における作物の生育に悪影響の出る期間情報及び/又は前記太陽光発電所の発電電力の大きい時間帯情報に基づいて、風力発電装置の運転継続又は停止を行うことを特徴とする。
【発明の効果】
【００１５】
本発明によれば、シャドーフリッカの範囲にある建物にシャドーフリッカの影響が生じた場合であっても、風力発電装置の稼働率は低下しないし、また、シャドーフリッカの範囲にある農地や太陽光発電所にシャドーフリッカの影響が生じた場合であっても、農地における作物の生育や太陽光発電所の発電電力に悪影響を及ぼすことはない。
【図面の簡単な説明】
【００１６】
【図１】本発明のウィンドファームの制御装置の実施例１における概略構成を示す図である。
【図２】本発明のウィンドファームの制御装置の実施例１における制御装置を示すブロック図である。
【図３】本発明のウィンドファームの制御装置の実施例１における本発明適用前の風力発電装置の稼動停止状態を示す図である。
【図４】本発明のウィンドファームの制御装置の実施例１における本発明を適用した場合の風力発電装置の稼動停止状態の一例を示す図である。
【図５】本発明のウィンドファームの制御装置の実施例２における概略構成を示す図である。
【図６】本発明のウィンドファームの制御装置の実施例３における概略構成を示す図である。
【図７】本発明のウィンドファームの制御装置の実施例４における概略構成を示す図である。
【発明を実施するための形態】
【００１７】
以下、図示した実施例に基づいて本発明のウィンドファームの制御装置及びその制御方法を説明する。なお、各実施例において、同一構成部品には同符号を使用する。
【実施例１】
【００１８】
図１に、本発明のウィンドファームの制御装置の実施例１を示す。
【００１９】
該図に示す本実施例のウィンドファームの制御装置は、複数の風力発電装置１から成るウィンドファーム１００を制御する制御装置であり、ウィンドファーム１００の各風力発電装置１のロータが作る影６の明滅（シャドーフリッカ）が影響する民家や店舗等を含む建物２が存在しているものに適用される。
【００２０】
そして、本実施例のウィンドファームの制御装置は、各風力発電装置１に対して第１の通信手段３を介して稼動・停止の指令を送信する制御装置４を備え、各建物２には、少なくとも各建物２における電力の使用状況をリアルタイムで計測する不快感判断手段であるスマートメーター５を備え、このスマートメーター５で計測した各建物２における電力の使用状況を第１の通信手段３を介して制御装置４に送信するものである。
【００２１】
図２は、本実施例における制御装置４の機能を示すブロック図である。
【００２２】
該図に示すように、制御装置４は、周辺電力使用状況受信部７、有人無人状況演算部８、シャドーフリッカ影響範囲演算部９及び指令値決定部１１から成り、周辺電力使用状況受信部７では、ウィンドファーム１００の周辺の建物２に設置されたスマートメーター５からの各建物２における電力使用状況等の計測値（電力使用状況の時間変化）１２を受信し、有人無人状況演算部８では、電力使用状況等の計測値（電力使用状況の時間変化）１２から、建物２が有人か無人かを演算する（電力使用状況が少ない状態で変位しているか、或いは極端に電力使用量が少ないときに無人、それ以外を有人と判断している）。
【００２３】
シャドーフリッカ影響範囲演算部９では、日付や日射などの気象情報１３を、内蔵のカレンダー（図示せず）やインターネット（図示せず）経由で入手すると共に、データベース１０から、風力発電装置１の配置や高さ、ロータ直径等の情報、緯度経度と時刻から求めた太陽高度、ウィンドファーム１００の周辺の地形情報等を用いて、各風力発電装置１の発生するシャドーフリッカが及ぼす影響の範囲を演算する。
【００２４】
指令値決定部１１では、建物２が有人か無人かの情報と、シャドーフリッカが及ぼす影響の範囲の情報を用いて、各風力発電装置１がシャドーフリッカの影響を及ぼす建物２が有人と演算された場合には、当該のシャドーフリッカを発生させる風力発電装置１を停止させ、建物２が無人と演算された場合には、シャドーフリッカにより不快感を覚える人が存在しないものとして、風力発電装置１を稼動状態のまま維持（運転継続）する指令１４を出力する。
【００２５】
図３は、本実施例における本発明を適用する前の風力発電装置１の稼動停止状態１５の例を示す図である。
【００２６】
該図に示すように、シャドーフリッカが建物２に影響を及ぼす時間帯を、予め太陽高度等を用いて求めておき、当該時間帯には風力発電装置１を停止させる。このとき、実際に日射があるかどうか、不快感を覚える人がいるかどうかは無関係である。
【００２７】
図４は、本実施例における本発明を適用した場合の風力発電装置１の稼動停止状態１５の例を示す図である。
【００２８】
該図に示すように、風力発電装置１が発生させるシャドーフリッカが建物２に影響を及ぼす時間帯に、前記有人無人状況演算部８で演算した有人判定スコア（電力使用状況）１６を用いて、有人判定スコア１６が予め決められた判定基準１７を下回り、当該建物２が無人と判定された場合には、シャドーフリッカの影響時間帯であっても、風力発電装置１を稼動状態（運転継続）とする。なお、当該建物２には、シャドーフリッカの影響が及ぶが、不快感を覚える住人が不在であるため問題にならない。
【００２９】
なお、上述した有人判定スコア１６は、前記建物の電力の使用量、使用量の時間変化から、事前に有人、無人の場合の状態を学習しておくことで、決定する方法が考えられる。
【００３０】
このような本実施例とすることにより、シャドーフリッカによる建物２の居住者又は利用者の不快感を発生させることなく、シャドーフリッカによる不快感を覚える利用者がいない場合には風力発電装置１を停止しないので、風力発電装置１の稼働率は低下しない。
【実施例２】
【００３１】
図５に、本発明のウィンドファームの制御装置の実施例２を示す。
【００３２】
該図に示す本実施例のウィンドファームの制御装置は、実施例１と略同様な構成であるが、実施例１（図１）との違いは、建物２に、スマートメーター５の代わりに、不快感判断手段としてシャドーフリッカ対策要否スイッチ１８を設置した点である。
【００３３】
本実施例では、建物２に居住あるいは利用する人は、シャドーフリッカの快・不快又は外出の予定等を反映し、シャドーフリッカ対策要否スイッチ１８を切り替えるものである。
【００３４】
即ち、シャドーフリッカ対策要否スイッチ１８が対策要とされた場合には、当該建物２にシャドーフリッカが影響する時間帯は、該当するシャドーフリッカを発生する風力発電装置１を停止させる。一方、シャドーフリッカ対策要否スイッチ１８が対策不要とされた場合には、当該時間帯に風力発電装置１は稼動を続ける（運転継続）。
【００３５】
このような本実施例とすることにより、ウィンドファーム近隣の住人の意思を反映した風力発電装置１の運転が可能となり、シャドーフリッカによる対策不要とされた場合には風力発電装置１を停止しないので、風力発電装置１の稼働率は低下しない。
【００３６】
なお、シャドーフリッカによる不快感を許容したり、建物２にブラインドを設置する等の対策により、シャドーフリッカ対策要否スイッチ１８で対策不要とした場合には、風力発電事業者から当該住人に対して金銭的なインセンティブを支給するオプションも考えられる。例えば、シャドーフリッカによる影響を我慢する人が多かったり、ブラインドを設置してシャドーフリッカによる影響を防止することにより、風力発電装置１の稼働率が上がることで事業者に利益が出て、その利益を住人に還元することが考えられる。
【実施例３】
【００３７】
図６に、本発明のウィンドファームの制御装置の実施例３を示す。
【００３８】
該図に示す本実施例のウィンドファームの制御装置は、実施例１と略同様な構成であるが、実施例１（図１）との違いは、建物２に、スマートメーター５の代わりに、不快感判断手段として建物２に居住するか又は建物２を利用する人の持つ携帯情報端末１９を利用する点である。
【００３９】
本実施例では、携帯情報端末１９は、無線等の第２の通信手段２１を介して基地局２０に携帯情報端末１９の利用者の位置情報、或いはシャドーフリッカ対策要否情報、若しくはその両方を送信する。
【００４０】
基地局２０は、携帯情報端末１９の利用者の前記情報を制御装置４に送信し、制御装置４は、携帯情報端末１９の利用者の位置が風力発電装置１のシャドーフリッカの影響を受ける範囲であり、かつ、シャドーフリッカ対策要否情報が「要」となっている場合には、当該風力発電装置１を停止させる。前記利用者の位置がシャドーフリッカの影響を受ける範囲外にあるか、又は前記シャドーフリッカ対策要否情報が「否」となっている場合には、当該風力発電装置１は稼動を継続（運転継続）する。
【００４１】
このような本実施例とすることにより、建物２へ実施例１のスマートメーター５や実施例２のシャドーフリッカ対策要否スイッチ１８を設置することなく、建物２に居住するか又は建物２を利用する人の持つ携帯情報端末１９を利用することで、ウィンドファーム近隣の住人の位置情報、意思を反映した風力発電装置１の運転が可能となる。
【００４２】
また、利用者の位置がシャドーフリッカの影響を受ける範囲外にあるか、又は前記シャドーフリッカ対策要否情報が「否」となっている場合には、当該風力発電装置１は稼動を継続（運転継続）するので、風力発電装置１の稼働率は低下しない。
【実施例４】
【００４３】
図７に、本発明のウィンドファームの制御装置の実施例４を示す。
【００４４】
該図に示す本実施例のウィンドファームの制御装置は、ウィンドファーム１００の各風力発電装置１のロータが作る影６の明滅（シャドーフリッカ）により、農地２２の作物の生育や太陽光発電所２３の発電電力に悪影響が出る懸念があることから、シャドーフリッカが影響する農地２２や太陽光発電所２３が存在しているものに適用される。
【００４５】
そして、本実施例のウィンドファームの制御装置は、各風力発電装置１に対して第１の通信手段３を介して稼働・停止の指令を送信する制御装置４と、各風力発電装置１のロータが作る影の明滅（シャドーフリッカ）の範囲にある農地２２や太陽光発電所２３に、シャドーフリッカの影響による農地２２における作物の生育に悪影響の出る期間情報や太陽光発電所２３の発電電力の大きい時間帯情報が入力されるシャドーフリッカ対策要否入力端末２４とを備えているものである。
【００４６】
このシャドーフリッカ対策要否入力端末２４に、当該施設（農地２２や太陽光発電所２３）の所有者が上記情報を入力しておくと、その情報が制御装置４に第１の通信手段３を介して送信される。
【００４７】
制御装置４は、農地２２や太陽光発電所２３に、シャドーフリッカが及ぼす影響を考慮し、当該シャドーフリッカを発生させる風力発電装置１を停止させるか、稼動を継続するかを判定する。
【００４８】
このような本実施例とすることにより、シャドーフリッカの範囲にある農地２２や太陽光発電所２３にシャドーフリッカの影響が生じた場合であっても、農地２２における作物の生育や太陽光発電所２３の発電電力に悪影響を及ぼすことはない。
【００４９】
また、シャドーフリッカが及ぼす影響により発生する損失よりも、風力発電装置１の稼動を継続して得られる発電収益の方が大きい場合には、発生した損失分を、農地２２や太陽光発電所２３の所有者にたとえば金銭で還元することも可能である。
【００５０】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００５１】
１…風力発電装置、２…建物、３…第１の通信手段、４…制御装置、５…スマートメーター、６…風力発電装置のロータが作る影、７…周辺電力使用状況受信部、８…有人無人状況演算部、９…シャドーフリッカ影響範囲演算部、１０…データベース、１１…指令値決定部、１２…スマートメーターの計測値、１３…気象情報、１４…指令値決定部からの指令、１５…風力発電装置の稼動停止状態、１６…有人無人状況演算部で演算した有人判定スコア、１７…判定基準、１８…シャドーフリッカ対策要否スイッチ、１９…携帯情報端末、２０…基地局、２１…第２の通信手段、２２…農地、２３…太陽光発電所、２４…シャドーフリッカ対策要否入力端末、１００…ウィンドファーム。
【図１】
2019157633.tif 000003
【図２】
2019157633.tif 000004
【図３】
2019157633.tif 000005
【図４】
2019157633.tif 000006
【図５】
2019157633.tif 000007
【図６】
2019157633.tif 000008
【図７】
2019157633.tif 000009